(57)【特許請求の範囲】
【請求項１】
デンタルミラーを装着したバキュームチップにおいて、これらを連結する連結装置を、該バキュームチップ側に装着すると共に、把持部付きデンタルミラーの、把持部を介して、デンタルミラーに取り付けることを特徴とするバキュームチップとデンタルミラーとの連結装置。
【請求項２】
デンタルミラーを装着したバキュームチップにおいて、該バキュームチップ側に連結する連結装置が、把持部付きデンタルミラーの把持部とスライド可能・回転可能に設けたことを特徴とするバキュームチップとデンタルミラーとの連結装置。
【請求項３】
連結装置が、デンタルミラーの把持部を、取り外し自在に装着する支持パイプと、バキュームチップ本体へ固定する取り付け腕からなり、該支持パイプと該取り付け腕とは、回転可能であり、また、該支持パイプは、デンタルミラーの把持部をスライド可能、取り付け腕に対して旋回可能に設け、該取り付け腕には、切れ目部を形成するとともに、該支持パイプと該取り付け腕のブレ防止ストッパーを設けたことを特徴とする請求項１または２記載のバキュームチップとデンタルミラーとの連結装置。
【請求項４】
連結装置を、バキュームチップ本体の後方に装着することを特徴とする請求項１または２または３記載のバキュームチップとデンタルミラーとの連結装置。
【発明の詳細な説明】
【０００１】
【産業上の利用分野】
本発明は  歯科医院において使用されるバキュームチップと、従来品のデンタルミラーとの連結装置に関するものであり、詳細には歯牙切削治療や歯石除去、インレー、クラウン、ブリッジなどの補綴物セメント合着等の歯科治療時に絶えず使用される、バキュームチップ、とデンタルミラー（圧排機能を有する）とを結合するバキュームチップとデンタルミラーとの連結装置に関する。
【０００２】
【従来の技術】
従来  歯牙切削治療等のさまざまな歯科治療を行なう場合、その治療機器（歯牙切削治療の場合は歯牙切削機）、治療中の口腔内貯留液を吸引し同時に舌や口唇、頬等の障害物を排除するバキュームチップおよび排除と口腔内の検視を行なうデンタルミラーが一般に使用されている。
【０００３】
【発明が解決しようとする課題】
従来の歯科治療（歯牙切削治療等）は、図４に示すように歯科医師が治療機器（Ｍ）とデンタルミラー（Ｄ）とを両手（３０、３１）に持ち  治療部位を治療するとともに、歯科衛生士（３２）がバキュームチップ（１）を持って行なうため手数がかかり、治療費がコスト高になるとともに、歯科医師と歯科衛生士との呼吸が合わないと効率の良い治療ができないという欠点があった。
【０００４】
また  最近  歯科衛生士不足で、歯科医師一人で治療を行なう場合、デンタルミラー（Ｄ）のかわりにバキュームチップ（１）を持って、舌や歯の外側の肉部等の障害物を排除したり  バキュームチップ（１）で吸引も行なうが、ある部位の治療をするとき一側のみしか排除しないので大変危険であり、欠点も多かった。
【０００５】
虫歯にかかりやすい大臼歯（歯列左右の上下６、７、８番）や小臼歯（歯列左右の上下４、５番）とりわけ左右上の８番（８番がないときは上下左右の７番）の遠心（後方側）を治療する場合は  下顎枝筋突起がじゃまになり、左右下８番（７番）を切削治療する場合には下顎枝前縁がじゃまになり、それとともに後方咬合支点により運動する上下開咬は  後方ほど極端に上下スペースがなく、助手と歯科医師の意志の一致は難しかった。
【０００６】
したがって  この部の切削治療等では  仰臥姿勢にした一人の患者に対して相当のベテランの助手と的確な技術を持った歯科医師とが密な連携作業を意志を一点に集中させて  いわゆるＦｏｕｒ  Ｈａｎｄｅｄ  ｄｅｎｔｉｓｔｒｙによる座位診療が日常的に行なわれているのが現状であるが、この場合  歯科医師と助手の双方に  ミラーテクニック  オーラルバキュームテクニック等の熟練した技術を必要とし、また医師と助手の技術的レベルが合わないと治療が円滑にできなかったり時間がかかる等の問題があった。
【０００７】
そこで  本発明者は上記のような実情に鑑み、バキュームチップ等のハンドピースに歯牙切削治療等の妨げとなる障害物を排除する機構を持ち、別の目的を持ち合わせたデンタルミラー（ホルダー付き）を併設すれば歯科医師ひとりで切削治療等ができるとの着想に基づいて、把持部（ホルダーともいう）付きデンタルミラーをバキュームチップ、ハンドピースに併設した上申書を伴った特許出願平成７年２１０１８０号（平成７年７月２７日）を平成６年特許出願第１９３８６９号（歯牙切削機に排除装置を付ける）を優先にして出願した。
【０００８】
バキュームチップを単独使用したい時もワンタッチで回転によって排除板（ミラー部）を後方へやれば、治療中に簡単にこの操作ができる。図６のワク囲みの図中Ｋ１の回転による反転の動きでバキュームチップ本体（ハンドピース）の単独使用もできる。単独使用が必要となることが、時々治療中におこる。
【０００９】
本発明は、上記のような実情を踏まえて創案されたものであって、障害物排除機構（ホルダー付きデンタルミラー）を併設したバキュームチップハンドピースにおいて、歯科医師の指操作、グリップ操作のみでバキュームチッフプとホルー付きデンタルミラーを自由にコントロールして歯牙切削治療等において、部位に応じて全周削り、近遠心削り、更には、歯を低く削る場合や斜面削り、根管治療切削等多種多様の歯牙切削機の切削パターンにも、バキュームサイドで治療場所を確保しているだけなので、安全に痛み少なく、歯科医師ひとりで治療が正確に行なえる。
このように多種多様の治療パターンに対応した適切な治療が容易なでき、もって治療効率を向上させることができる障害物排除機構付きバキュームチップハンドピースを提供することを課題とするものである。
【００１０】
また、口腔内で治療器具を使用する場合、患者の下顎を開咬状態とさせて、器具の挿入および操作を行ないやすくした状態とするが、この状態でも口腔内治療器の動きは口腔内の形状と口腔内組織によってさまざまな制限を受ける。すなわち、口腔前庭の深さに差があったり、下顎が顎関節の下顎頭を支軸として開閉運動するために、口腔内の空間は前方の口唇側から奥側の軟口蓋側に行くにしたがって狭くなっている等の制限がある。また、二人がかりの治療は術者側に大きな頭が二つあって、小さな口の奥を覗くのに、頭がぶつかるわけにはゆかないから口唇、頬を大きく広げなければならない。患者さんは痛くて大変なわけである。このような解決策も課題となる。悪い歯を治療してからインレー、クラウン、ブリッジ等を被せる時、歯科セメントで合着するが、唾液の浸出で不可になったり排除に使っていたロールワッテ（簡易障害物排除綿）がセット部位によってきて素早い装着ができないことが多く、ロールワッテ（綿）使用量も多量で軽視できない等課題もある。
【００１１】
【課題を解決するための手段】
上記課題を解決するため、本発明が採用した技術手段はあらゆる治療部位において、歯科医師のみで円滑安全、痛みの少ない、視野良く、嘔吐反射の少ない治療を行なうことができる、新しい概念の歯科医療用具としてバキュームチップハンドピースとホルダー固定パイプの取り付け部相互が回転関係にある連結装置を介してバキュームチップとホルダー付きデンタルミラーを一体系にして、治療にあたる歯科医師の指操作、グリップ操作により治療部位を完全に確保し、安全確実な排除のもとさまざまな治療を行なうのにデンタルミラー取り付けパイプとバキューム取り付け部の相互回転は本発明の手段となったのである。
【００１２】
【実施例】
図１は、本発明の連結装置（Ｓ）の使用状態の一実施例を示す斜視図であり、図２は、本発明の連結装置（Ｓ）の、（ａ）は左側面図、（ｂ）は、右側面図、（ｃ）は、正面図、（ｄ）は、平面図である。
先ず、（Ｖ）は、従来より市販されているバキュームチップ（Ｖ）であり、先端部（２）に吸引口（２７）を有するバキュームチップ本体（１）から構成されている。
そして、（Ｄ）は、デンタルミラーであり、把持部（３）と該把持部に続く細首部（４）、そして先端にミラー面（６）を有するミラー部（５）を設けたものである。
これら、バキュームチップ（Ｖ）とデンタルミラー（Ｄ）とを連結する装置が、本発明の連結装置（Ｓ）である。
【００１３】
そして、本発明の連結装置（Ｓ）は、デンタルミラー（Ｄ）の把持部（３）を、取り外し自在（場合によっては、固定）に装着するパイプ（１２）と、バキュームチップ本体（１）へ装着する取り付け腕（１１）からなり、該パイプ（１２）と該取り付け腕（１１）とは、スライド可能・回転可能に設けられており、取り付け腕（１１）には、切れ目部（２０）を形成し、バネ力、把持力でバキュームチップ本体（１）を把持し、不必要に動いてしまわないよう設定してあり、これによりバキュームチップ本体（１）の外周面の任意の位置に嵌挿し保持、あるいは固定できるよう構成されている。
デンタルミラーの把持部（３）を嵌入・支持する支持パイプ（１２）には、該把持部（３）を固定・開放するためのネジ（１４）がネジ受け部（１５）に螺合されている。該ネジ（１４）を締め付けるさとにより把持部（３）を所定の位置に固定することも可能である。
また、弛緩することにより開放してデンタルミラー（Ｄ）は、前後動、軸回動が行なえる。ネジ（１４）の締め付け及び開放は、ネジ頭（１３）の操作による。
さらに、パイプ（１２）の一側には、回転軸頭（関節頭）（１９）を有する回転軸円柱細部（１６）、太部（１７）が突出している。細部（１６）と関節頭（１９）の間は、細部（１６）よりさらに細い円柱にしても良い。
【００１３】
左側面図（図２のａ図）、右側面図（図２のｂ図）にその様子を図示した。
図２のｂ図に示す関節頭（１９）は、このような状態に内蔵されていることを点線で表現したものである。ナットおよびボルト（９、１０）を取り外し、上ブタ（８）を関節頭包部片側（７）からはずすと、関節頭（１９）を外へ取り外すことができる。この関節頭（１９）は球体に限らず、アンダーカットのあるものなら、円柱等のさまざまの形態が考えられるが特別な制限はない。抜けてしまうことなく回転する形態であれば良い。関節頭包部（７、８）には、それぞれ内側に関節頭（１９）受け部である凹部が形成されている。この上下の関節包部（７、８）がナット、ボルト（９、１０）により組み合わせられた時合わさり目として  図２の（ｂ）図に示したように合わせ目（２１）があらわれる。続いて図を説明してゆくが同一の部については符号を省略する。
【００１４】
図２の（ｄ）は図１における連結装置（Ｓ）の平面図の様子をあらわしたものである。この図における下方部が、図１における後方図にあたる。ネジの頭（１３）、取り付け腕（１１）、把持部（３）の取り付けパイプ（１２）等があらわしてある。関節部（２２）（図２のｂ）の機構により３６０度以上完全にデンタルミラーの取り付けパイプ（１２）には矢印（２３）のごとく、取り付け腕（１１）側と相互回転可能となっている。このことにより図１における矢印（２４）にあらわすように取り付け部Ｓを中心に、デンタルミラーＤは完全に回転可能、すなわち、図１に示す態様においては、タテ回転が３６０度以上完全可能となるので任意の位置に設定可能となるのである。また、バキュームチップ本体（１）を単独使用したいとき、デンタルミラー部（５）を回転により、後方へ素早く片方のみの指操作でおこなえるのである。（図６のワク囲みの図を参照のこと）。
【００１５】
また  治療中、この回転の一部の動きを利用して微妙な指操作で口腔諸条件に呼応した操作が行なえるのである。
図２（ａ）に示すストッパー（１８）は、取り付けパイプ（１２）に把持部（３）がしっかり固定された使用中において  ホルダー（３）が不必要な軸回転方向のブレをおこさないためのものである。
【００１６】
関節頭（１９）と関節包部（７、８）とは組み合った時、必要なスペースをとり図２（Ａ）に示す矢印（２５）のような動きが可能となっている。
また、図１において説明すれば、この動き（矢印２５）は左右の微妙な指操作調整が可能となるのである。
【００１７】
図２の（ａ）（ｂ）におけるダイヤのような部位（２６）は、取り付けパイプ（１２）に穴があいているわけではなく、デザインとして平らに削ってあるものである。
さらに、デンタルミラー（Ｄ）の把持部（３）の軸回転ブレ防止は、図２（ｃ）の矢印（ｘ）の動きが起こらないようにストッパー（１８）が設けられている。
【００１８】
上記  述べてきたような機構、例えば  取り付け腕（１２）、取り付けパイプ（３）、連結装置（Ｓ）等の組み合わせにより、左右上下あらゆる部位の治療が歯科医師ひとりで  安全に、視野良く、姿勢良く治療可能になったのである。患者さんは排除量が少なく（二人がかりの両サイドからの治療は  口をよけいに広げる、それに対して  真上から一点直視であるからである。）痛み少なく、嘔吐反射が少ない。
【００１９】
図３は、本発明の一実施例を示し、（イ）は、左側面図であり、（ロ）は右側面図であり、（ハ）は平面図であり、（ニ）は底面図であり、（ホ）は正面図であり、（ヘ）は背面図をあらわす。
図４は、従来の治療の態様を表わす図である。歯科医師の右手（３０）、左手（３１）、歯科衛生士の右手（３２）をあらわす。
【００２０】
図５は、さまざまな治療態様（上下左右のあらゆる部位のうち一例として上顎左の智歯
0003646235.tif 000002
の治療態様と持ち方と口腔の様子をあらわした。これは歯科医師の左手（３１）で本発明のバキュームチップ（Ｖ）をグリップ持ちして、グリップ操作指操作を行いながら治療している様子を示している。
右手で歯牙切削機等の治療器具を持ち  治療スペース（３３）に治療器（３４）を挿入する様子をあらわしている。デンタルミラーホルダーはこの図においては、断面形状が円形のデンタルミラー把持部（３）を図示したが、その断面形状に特別な制限はない。八角形等のホルダーでも良い。
【００２１】
さらに図５について説明する。この態様はデンタルミラ（Ｄ）を、バキュームチップ本体（１）の左に設定した例である。バキュームチップの先端部（２）で口唇、口角を排除してデンタルミラー部（５）で、下顎枝前縁、下顎枝筋突起の部の障害物（口腔粘膜、筋肉等）を排除して、吸引口（２７）で口腔内貯留液を排除して歯科医師一人で行なう治療における排除の一例を示したものである。
【００２２】
以上のように本発明の連結装置（Ｓ）は、図１の一態様右側面図おいてタテ回転するから、バキュームチップ本体（１）のタテ屈曲は何の障害にもならないで、簡単に指操作でタテ回転可能となる。このことは屈折度（３８）がこの例よりも強くても、例えば９０度近くになったとしても、タテ回転によるならば何らさしつかえない。
ゆえに  あらゆる屈曲のバキュームチップ本体（１）に対しても応用できるのである。
【００２３】
図６においては  治療機器（本例は歯牙切削治療を例にしてエアータービンを使用している）も図面上にあらわして示したが、図面が煩雑になるのでその他の図面においては同様のことなので省略する。
【００２４】
図６中の一点鎖線のワク内の図において  矢印（Ｋ１）はデンタルミラー部（５）を回転により移動する様子を表わす。口腔奥側に貯留水がたまった時、バキュームチップ本体（Ｖ）の単独使用に便利である。
【００２５】
図６中の矢印（Ｋ２）は取り付け腕のバキュームチップ外周面の軸回動を表わす。前後動（ｍ１）との動きと組み合わせて、バキュームチップ本体（１）の外周面の任意の位置に設定可能となっている。矢印（Ｋ３）はデンタルミラー把持部（３）の軸回動の様子を表わす。前後動（ｍ２）とのかねあいで、デンタルミラー部（５）の微妙な位置を自由に設定することができる。矢印（Ｋ４）は、バキュームチップ先端（２）の軸回動を表わす。該先端（２）を前方に移動（ｍ３）し、摩擦力を小さくして該先端（２）を回動して、吸引口（２７）の向きを変え、吸引の最適位置をとる。
【００２６】
図６は、左下の智歯（親知らず）および左下の大小臼歯部の治療の様子を表わした図である。歯式は図６の下の一点鎖線ワク内に説明する。
0003646235.tif 000003
【００２７】
図６中で重要なことは矢印（Ｋ１〜Ｋ４、ｍ１〜ｍ３）の動きにより、あらゆる治療部位に対応する合理的な治療態様が一組の本発明バキュームチップによって得られるようになったことである。なお、図６中の矢印（２５）は関節頭の遊びによって得られる、回転とクロスする方向の動きを表わす。この矢印（２５）の動きにより、図３のハ、ニの各図にあらわれているように  デンタルミラー部（５）を中心より左側にまでもってゆけるのである。治療中の微調整が可能となる。あらゆる部位に対応できる様子を図６〜図１５に示す。
【００２８】
0003646235.tif 000004
の態様であるが、この場合はミラーテクニック（図９）とは異なる方法で  主に口唇をつたわって外に水（治療器から噴射される水等）が流出しないようにする目的を中心に考えた時の態様である。
0003646235.tif 000005
【００２９】
図６〜図１５にわたって  ミラーテクニック中心か、水の流れ防止中心かの使い分けも説明してきたが、従来の二人がかりの治療が歯科医師一人で安全に治療できる態様には、どの図もなっていることを申し添えておく。
【００３０】
態様を要約すると、その特長はバキュームチップ取り付け腕の設定位置である。図１に示すように取り付けパイプがバキュームチップ本体（１）の右側面に設定する
0003646235.tif 000006
以上の三つの取り付け腕（１１）の設定位置にまとめることができる。この三つの態様と矢印（Ｋ１，Ｋ３，Ｋ４，ｍ２，ｍ３）の組み合わせにより、簡単にあらゆる部位に対応できる態様が得られるようになった。
【００３１】
このことは  パイプ（１２）とバキュームチップ本体（１）との相互回転（矢印Ｋ１）とクロス動（矢印２５）によってすべてが解決されたのである。すなわち、この相互回転（矢印Ｋ１）とクロス動（矢印２５）により上記が達成されたのである。
図６〜図１５に図説しているように  矢印（Ｋ３，ｍ２，Ｋ４，ｍ３）の設定は反転等の単純なもので  自然と設定できるように考えてある。すなわち  矢印（Ｋ１）の相互回転クロス動（矢印２５）が、取り付け腕（11）の動きを三つに絞り、そして、このことがデンタルミラー部（５）とチップ先端（２）を反転等の単純設定ですむようにしたのである。こうして、あらゆる治療部位が難なく設定できることとなったのである。
【００３２】
何ゆえ、取り付け腕（１１）が重要な意味を持つかと言うと、取り付け腕の設定位置はグリップ操作、指操作がしやすいものでなければならない。この３種類の取り付け腕（１１）の設定はこの目的を達しているからである。これを可能にしたのが相互回転（矢印Ｋ１）とクロス動（矢印２５）なのである。そしてここまでが解決されると、チップ先端（２）、デンタルミラー部（５）の設定は自然ときまるのである。
【００３３】
ここで  図３左上の態様、図５〜図１５に示した各部位の口腔使用態様を整理してみる。治療箇所は大きく６カ所（右上、上前、左上、右下、下前、左下）について図示されている。この治療箇所に合わせて６通りの本発明バキュームチップの態様、これを図１６〜図２１の下段（各ｅ）に図示した。
【００３４】
次のように対応している。また  側面から見てシルエットにより命名する。バキュームチップ本体とデンタルミラーホルダーと先端部のシルエットである。
0003646235.tif 000007
【００３５】
この  本発明バキュームチップの各態様はどのように行なわれているかを示したのが  、図１６〜図２１の上段（ａ〜ｄ）の図である。ｃ、ｄは原理的な図を表わした。図１６〜図２１において、矢印（Ｋ１）は取り付け腕（１１）と把持部取り付けパイプ（１２）の相互回転（３６０度以上）を表わす。（図６を参照）
矢印（Ｋ２）は、取り付け腕（１１）のバキューム周囲における回転移動設置を表わす。矢印（Ｋ３）はデンタルミラー（Ｄ）の軸回転を表わす。矢印（Ｋ４）はバキュームチップ先端（２）の回転を表わす。この時  先端を前方へ移動して摩擦を少なくして、回転（矢印Ｋ４）を行ないやすくする時の動き及び先端の脱着を表わすのが矢印（ｍ３）である。
【００３６】
２５の矢印は  取り付け腕側（１１）とパイプ（12）を連結する関節部（２２）の互いの適度のゆるみによりおこる必要な動きを表わす。すなわち、相互回転（矢印Ｋ１）が作る面に対して直角方向へのクロスする動きである。
矢印（ｍ１）は取り付け腕（１１）の前後動を表わす。矢印（ｍ２）はデンタルミラー（Ｄ）の前後動を表わす。矢印（ｍ３）はバキュームチップ先端部２の脱着（前後動）を表わす。図１６〜図２１の各（ａ）、（ｂ）、（ｃ）、（ｄ）の設定説明図はこの矢印の動きにより設定位置に決められてゆく様子を表わした。
【００３７】
図を見ていただく、その様子がわかるので詳しい説明は省略する。
図１６は、本特許変更に関わる意匠の態様で、図３にあらわれている  一つのストップモーション（意匠図）である。
図１７は、取り付け腕（１１）の回動（矢印Ｋ２）により、図１６の反対側にパイプ（１２）が移動した様子を表わす。
【００３８】
図１８は、ミラーを回転した態様を表わす。デンタルミラー軸回転（矢印Ｋ３）による。前後の設定は  動き（矢印ｍ２）による（図６参照）。
図１９は、吸引口（27）とミラー（５）との距離を設定する様子がわかる。矢印（ｍ２）の動きによる。取り付け腕の前後動（矢印ｍ１）でも得られる。バキュームチップ先端部（２）が反転（矢印Ｋ４の動き）している様子もわかる。図１９〜図２１も同様なので説明を省略する。
【００３９】
図２２について説明する。図１６〜図２１に一例として６つの代表的な態様を図示説明してきたが、この態様の原理は全て図２２に示すＸ，Ｙ，Ｚによって得られる座標点（▲Ｓ▼点）である。すなわち三次元の位置である。
本発明の新しい概念のバキュームチップはこの三次元の決定（設定位置▲Ｓ▼を求める）を行なうためのＸ，Ｙ，Ｚ座標軸の移動がおこなえる機構が必要となってくる。
上記を考えたとき、６つの態様はすべてＸ，Ｙ，Ｚの座標点であったということは、目的である、Ｘ，Ｙ，Ｚの動きを本発明の機構は備えていたということになるのである。
このＸ，Ｙ，Ｚの動きができるということはこの６つの態様のみならず、無数の態様が（無数の▲Ｓ▼点）が自由に得られるということである。これによりあらゆる部位の治療が本発明バキュームチップによって行なえるということなのである。
これに関わるのが、動き（矢印２５、Ｋ１〜Ｋ４、ｍ１〜ｍ３）等であるが、特に重要なポイント相互回転（矢印Ｋ１）の考えである。この考えによって本発明は大きく前進した。
【００４０】
【本発明の効果】
ホルダー取り付けパイプ（１２）と取り付け腕（１１）の相互回転（矢印Ｋ１）およびクロス動（矢印２５）により、あらゆる治療部位が  簡便な設定で治療でき、しかも歯科医師一人で治療可能となり  排除完全で安全を得られた。この目的の他、バキュームチップの単独使用の目的も矢印（Ｋ１と２５）の動きを中心として、達成できたところにある。
【００４１】
以下  特徴を具体的に述べる。
Ａ．治療がひとりでできる。
（１）従来  必ずふたりがかりで行なっていた歯牙切削治療がひとりで可能である。
（２）ひとりでやるからこそ  視野が良く疲れない。
（３）その間、助手は、その他の院内管理や他の仕事に従事できる。
（４）助手と助手、助手と医師、いわゆる二人の意気投合は非常に難しいものであるが、その必要はなくなった。
（５）スタッフが帰ってしまった後の時間外治療がひとりで行なえる。
（６）これから拡大が予想される往診も、スタッフの都合に合わせることなくひとりでできる。
（７）さまざまな治療が  簡単にきれいにおこなえる。
◎特に、奥歯の治療や支台歯形成には威力を発揮する。
◎インレー  クラウン  ブリッジのセット、歯石除去  抜歯時にも便利である。
◎その他の治療……根管治療、電気メス、根管充填、根貼、熱（ヤケド）切断（根管充填剤）、義歯咬合調整、検診、プラーク染めだし、ポケット測定に便利である。
Ｂ．患者の痛みや不安、嘔吐反射が非常に少なくなる。患者を一番良く知っている医師が、一人で治療するため、患者に対する無理な要求が少なく、素早い対応ができる。
Ｃ．経費を大幅に節減できる。以上の諸問題が解決されるため、著しい経済効果を生む。
【図面の簡単な説明】
【図１】  本発明の一実施例の右側面図を示す。
【図２】  本発明の連結装置であって、（ａ）は、正面図、（ｂ）は、背面図、（ｃ）は、左側面図、（ｄ）は、平面図である。
【図３】  本発明の使用状態を示し、（イ）は、正面図、（ロ）は、背面図、（ハ）は、平面図、（ニ）は、底面図、（ホ）は、左側面図、（ヘ）は、平面図である。
【図４】  従来の治療の様子を示す説明図である。
【図５】  本発明を用いた上顎左側の智歯（親知らず）の治療の様子を示す説明図である。
【図６】  各動きを矢印であらわした図。治療器を図面にあらわした図。左下の治療の様子。
【図７】0003646235.tif 000008
【図８】0003646235.tif 000009
【図９】0003646235.tif 000010
【図１０】0003646235.tif 000011
【図１１】0003646235.tif 000012
【図１２】0003646235.tif 000013
【図１３】0003646235.tif 000014
【図１４】0003646235.tif 000015
【図１５】0003646235.tif 000016
【図１６〜図２２】  態様の分類と原理をあらわす図。
【符号の説明】
１．バキュームチップ本体
２．バキュームチップの先端部
３．デンタルミラーの把持部
４．デンタルミラーの把持部の細首部
５．デンタルミラー部
６．ミラー面
７．関節頭包部片側
８．関節頭包部フタ
９．１０．フタを固定するボルト、ナット
１１．バキュームチップ本体への取り付け腕
１２．デンタルミラーホルダーを取り付けるパイプ
１３．ホルダー固定開放ネジ
１４．ネジ１３のネジ部
１５．ネジ１４のメスネジ部
１６．回転軸細部円柱
１７．回転軸太部円柱
１８．ブレ防止ストッパー
１９．関節頭部
２０．取り付け腕把持力増強のための切れ目部
２１．関節包部のフタの合わさり目
２２．関節部を指し示す
２３．取り付け腕側に対するパイプ側の回転を表わす（Ｋ１と同じこと）
２４．デンタルミラーの任意の位置をとる軌跡をあらわす（Ｋ１と同じこと）
２５．動きの可能なことを表現する矢印。回転とクロスする方向への動き
２６．デザインの一例。穴が開いているわけではない。平らに削ってある面。
２７．バキュームチップ吸引口。
３０．歯科医師の右手
３１．歯科医師の左手
３２．歯科衛生士の手
３３．治療スペース
３４．治療器Ｍの入る様子
３５．舌
３６．口唇
３７．歯牙
３８．バキュームチップの屈曲の種類をあらわす（角度）
Ｋ．各機構の動きをあらわす矢印
Ｋ１．バキュームチップを単独使用するときのミラーホルダー全体の回転
Ｋ２．取り付け腕の回動
Ｋ３．ホルダーの回動
Ｋ４．バキュームチップ先端部の回動をあらわす
ｍ．前後動
ｍ１．取り付け腕の前後動
ｍ２．ホルダーの前後動
ｍ３．バキュームチップ先端の前後動（脱着のときの前後動）
Ｄ．デンタルミラー
Ｍ．治療機器
Ｓ．本発明の連結装置
Ｖ．バキュームチップ
ｘ．動いてはならないことをあらわす  ブレ防止のための矢印．図２（ａ）
Ｘ．座標のＸ軸をあらわす
Ｙ．座標のＹ軸をあらわす
Ｚ．座標の奥行きをあらわす
▲Ｓ▼．Ｘ，Ｙ，Ｚによるセッティング位置
【図３】
0003646235.tif 000017
【図４】
0003646235.tif 000018
【図５】
0003646235.tif 000019
【図６】
0003646235.tif 000020
【図７】
0003646235.tif 000021
【図８】
0003646235.tif 000022
【図９】
0003646235.tif 000023
【図１０】
0003646235.tif 000024
【図１１】
0003646235.tif 000025
【図１２】
0003646235.tif 000026
【図１３】
0003646235.tif 000027
【図１４】
0003646235.tif 000028
【図１５】
0003646235.tif 000029
【図１６】
0003646235.tif 000030
【図１７】
0003646235.tif 000031
【図１８】
0003646235.tif 000032
【図１９】
0003646235.tif 000033
【図２０】
0003646235.tif 000034
【図２１】
0003646235.tif 000035
【図２２】
0003646235.tif 000036
【図１】
0003646235.tif 000037
【図２】
0003646235.tif 000038